(57)【要約】      （修正有）【課題】プリザーブドフラワーを材料にして水引ワイヤー及びドイツ装飾用ワイヤーでフレームを形成し、接着剤でプリザーブドフラワーを接着後花や葉や蝶を形成し、独創的な花や葉や蝶をデザインし、ワイヤーで形成したフレームに接着剤を接着する事で壊れにくいアクセサリーやブーケ、アレンジメントの装飾品の製造方法を提供する。【解決手段】装飾用ワイヤー５１を使い、花や葉や蝶を形成する。プリザーブドフラワーの花や葉を分解し、ワイヤー５１に接着剤で貼り付け補強し固定後、形成したワイヤー５１に添って、不要な花材をはさみやナイフでカットし、花や葉や蝶のパーツを複数作り組み立て、花や葉や蝶を製造し、壊れにくいアクセサリーやブーケやアレンジメントの装飾を施した作品を作成する。【選択図】図６
2014004745.tif 000002
【特許請求の範囲】
【請求項１】
装飾用ワイヤーを使用して、花びらを形成してプリザーブドフラワーの花びらを全部分解して、花びらを接着剤をつかって二枚重にして補強し、上記花びらを形成したワイヤーに接着剤を貼り付けプリザーブドフラワーの花びらを接着後自然乾燥させ、その後花びらに形成したワイヤーに添って、不要な花びらをはさみやナイフをつかってカットして、装飾を施した花びらのパーツを複数作り、花びらの中心部には、パールやビーズやプリザーブドフラワーの実ものやドライフラワーをワイヤーで補強して、その後この中心部の周囲に装飾を施した花びらのパーツを組み立て、制作する花の製造方法で装飾的な花を製造して、アクセサリーやブーケやアレンジメントなど所望の作品を作成するプリザーブドフラワーを材料とする装飾品の製造方法。
【請求項２】
プリザーブドフラワー花びらを全て分離して、複数の花びらを接着剤で重ね合わせ補強して大きな花びらを作って、装飾用ワイヤーで形成した花びらの形のフレームにプリザーブドフラワーの花や葉を接着後自然乾燥させ、その後形成したワイヤーに添って、不要な花や葉をはさみやナイフをつかってカットし、装飾を施した花びらのパーツを複数作り、その後複数の装飾を施した花びらのパーツを組み立て、ダリヤ及びユリの大輪の花を製造したり独創的な大輪の花に製造して、アクセサリーやブーケやアレンジメントなど所望の作品を作成するプリザーブドフラワーを材料とする装飾品の製造方法。
【請求項３】
プリザーブドフラワーの花びらの色の異なる複数の花びらを全て分離して複数の色の花びらに接着剤をつかって重ね合わせ補強して、今までにない色調の美しい花びらの色を形成して、装飾用ワイヤーで形成した装飾を施した花びらの形のフレームに上記プリザーブドフラワーの花を接着後自然乾燥させ、その後形成したワイヤーに添って、不要な花びらをはさみやナイフをつかってカットして、装飾を施した花びらのパーツを複数作り、その後上記の複数の色調の美しい花びらのパーツを組み立て、装飾を施した花を製造して、アクセサリーやブーケやアレンジメントなど所望の作品を作成するプリザーブドフラワーを材料とする装飾品の製造方法。
【請求項４】
装飾用ワイヤーで装飾的な葉のフレームを形成し、上記ワイヤーに接着剤を貼り付けプリザーブドフラワーの葉や花びらを接着後自然乾燥させ、その後形成したワイヤーに添って、不要な葉や花びらをハサミやナイフをつかってカットして補強し、装飾を施した葉を製造して、アクセサリーやブーケやアレンジメントなど所望の作品を作成するプリザーブドフラワーを材料とする装飾品の製造方法。
【請求項５】
装飾用ワイヤーで、装飾的な蝶のフレームを形成してプリザーブドフラワーを材料として上記ワイヤーに接着剤を使いプリザーブドフラワーを貼り付け装飾を施した葉や花びらを接着後自然乾燥させ、その後形成したワイヤーに添って、不要な葉や花びらをハサミやナイフをつかってカットして補強し、装飾を施した蝶を製造して、アクセサリーやブーケやアレンジメントなど所望の作品を作成するプリザーブドフラワーを材料とする装飾品の製造方法。
【発明の詳細な説明】
【技術分野】
【０００１】
本発明は、プリザーブドフラワーを材料として、日本伝統の水引ワイヤー及びドイツ装飾用ワイヤーを使用して花や葉や蝶を形成して、プリザーブドフラワーを接着剤をつかってワイヤーに貼り付けて補強し、壊れたり破れにくくなるよう加工して造形し、独創的なアクセサリーやブーケやアレンジメントの製造に使用する装飾品の製造方法に関する物である。
【背景技術】
【０００２】
近年プリザーブドフラワーの普及が日本全国に急速に普及して、アレンジメントやウェディングブーケなどに使用される事が定着してきました。プリザーブドフラワーは生花を特殊加工したもので、脱色した生花や葉や実物などをグリセリンを主とした溶液に浸して脱色、脱水、着色し、その後乾燥させて作成するもので、その花の組織を保ちながら、生花の手触りなどを長い間保ちながら鑑賞できるものである。
【０００３】
以前はプリザーブドフラワーの花の種類は、バラを中心に数種類の花にとどまっていたが、長年の研究の結果、バラ以外の花の加工にも成功して、数種類の花を使用してアレンジメントやブーケなどを制作する事が可能となってデザインの幅も広がってきた。
【０００４】
しかし、上記のようにプリザーブドフラワーの花や葉そのまま使う方法では、花びらや葉の先端が壊れたり破れたりする欠点がある上に、プリザーブドフラワーの加工が出来にくい花や葉の種類が数多くあり、アレンジメントやブーケのデザインに使用出来ない花がある。また、バラの花の周囲に他のバラの花びらを貼り付けて大きくする方法や、花を分解して、別の花を制作する方法は出来ても、花や葉の先端が壊れやすいので、ブーケやアクセサリーなど身に付け
る物としては、使用する時、注意な必要である。特にアクセサリーなどには、気を付けて使用しないと壊れると言う欠点があり、アクセサリーとしての普及がしにくいと言う状況である。
また、水引ワイヤー及びドイツ装飾用ワイヤーを使用して、独創的な花や葉や蝶を造形して、装飾することで、デザインの幅も無限大に広がる。
【先行技術文献】
【特許文献】
【０００５】
【特許文献１】特開２００９−１０１６２３号公報
【発明の概要】
【発明が解決しようとする課題】
【０００６】
本発明は、プリザーブドフラワーとして加工されている花や葉の種類は、限られているので、水引ワイヤー及びドイツ装飾用ワイヤーを使って花や葉を独創的に形成して、独創的な花や葉や蝶を製造して、プリザーブドフラワーの幅広い装飾品の製造を提供するものである。
また、上記ワイヤーをつかってフレームを作る事で、花や葉の痛みを補強するし、壊れたり破れにくいアクセサリーやブーケやアレンジメントの花装飾品の製造を提供するものである。
【課題を解決するための手段】
【０００７】
本発明の要旨とするところは、水引ワイヤー及びドイツ装飾用ワイヤーを使用して、独創的な花びらを形成してプリザーブドフラワーの花びらを全部分解して、花びらを接着剤をつかって二枚重にして、壊れたり破れにくくなるよう補強して、上記花びらを形成したワイヤーに接着剤を貼り付けプリザーブドフラワーの花びらを接着後自然乾燥させ、その後花びらに形成したワイヤーに添って、不要な花びらをはさみやナイフをつかってカットして、独創的な装飾を施した花びらのパーツを複数作り、花びらの中心部には、パールやビーズやプリザーブドフラワーの実ものやドライフラワーをワイヤーで補強して、その後この中心部の周囲に装飾を施した花びらのパーツを組み立て、製造する花の製造方法でオリジナルの花を製造して、アクセサリーやブーケやアレンジメントなど所望の作品を作成するプリザーブドフラワーを材料とする装飾品の製造方法。
また組み立てた花びらの中心部には、パールやビーズやプリザーブドフラワー
の実ものやドライフラワーをワイヤーで補強して製造する装飾的な花の製造方法である。
【０００８】
本発明の要旨とするところは、プリザーブドフラワー花びらを全て分離して、複数の花びらを接着剤で重ね合わせ大きな花びらを作って、ワイヤーで形成した独創的な花びらの形のフレームにプリザーブドフラワーの花や葉を接着後自然乾燥させ、その後形成したワイヤーに添って、不要な花や葉をはさみやナイフをつかってカットして、壊れたり破れにくくなるよう補強して、独創的な装飾を施した花びらのパーツを複数作り、その後複数の装飾を施した花びらのパーツを組み立て、ダリヤ及びユリの大輪の花を製造したり独創的な大輪の花の装飾品を製造して、アクセサリーやブーケやアレンジメントなど所望の作品を作成するプリザーブドフラワーを材料とする装飾品の製造方法。
【０００９】
本発明の要旨とするところは、プリザーブドフラワーの花びらの色の異なる複数の花びらを全て分離して複数の色の花びらを接着剤をつかって重ね合わせ破れにくくなるよう補強して、今までにない色調の美しい花びらの色を形成して、ワイヤーで形成したオリジナルの花びらの形のフレームに上記プリザーブドフラワーの花を接着後自然乾燥させ、その後形成したワイヤーに添って、不要な花びらをはさみやナイフをつかってカットして、壊れにくく破れにくい独創的な装飾を施した花びらのパーツを複数作り、その後上記の複数の色調の美しい花びらのパーツを組み立て、独創的な花を製造して、アクセサリーやブーケやアレンジメントなど所望の作品を作成するプリザーブドフラワーを材料とする装飾品の製造方法。
【００１０】
本発明の要旨とするところは、水引ワイヤー及びドイツ装飾用ワイヤーを使用して、独創的な葉を形成する。
プリザーブドフラワーを材料として上記ワイヤーを使用して、独創的な葉を形成したワイヤーに接着剤を貼り付けプリザーブドフラワーの装飾を施した葉や花びらを接着後自然乾燥させ、その後形成したワイヤーに添って、不要な葉や花びらをハサミやナイフをつかってカットして、独創的な葉を製造して、アクセサリーやブーケやアレンジメントなど所望の作品を作成する装飾品の製造方法である。
【００１１】
本発明の要旨とするところは、水引ワイヤー及びドイツ装飾用ワイヤーを使用して、独創的な蝶を形成したワイヤーに接着剤を貼り付けプリザーブドフラワーの葉や花びらを接着後自然乾燥させ、その後形成したワイヤーに添って、不要な葉や花びらをハサミやナイフをつかってカットして、破れにくくなるよう補強して独創的な装飾を施した蝶を製造して、アクセサリーやブーケやアレンジメントなど所望の作品を作成するプリザーブドフラワーを材料とする装飾品の製造方法である。
【発明の効果】
【００１２】
本発明は、水引ワイヤー及びドイツ装飾用ワイヤーを使用して、花や葉や蝶を形成する。プリザーブドフラワーの花や葉を分解して、上記ワイヤーに接着剤で貼り付け固定後、形成したワイヤーに添って、不要な花材をはさみやナイフをつかって、カットして、独創的な装飾を施した花や葉や蝶のパーツを作り、その後複数のパーツを組み立て、独創的な装飾を施した所望の花や葉や蝶を作成するため、その製造過程においてプリザーブドフラワーの長所をいかしつつ破れにくく、壊れにくい丈夫で長持ちし装飾的でなおかつ芸術的なアクセサリーやブーケやアレンジメントの製造が可能となり効果が絶大である。
特に今まで使用時に壊れやすいアクセサリーがこの製造方法により破れにくく壊れにくいプリザーブドフラワーを材料としたアクセサリー装飾品の普及に大きな存在となる。
【００１３】
本発明は、水引ワイヤー及びドイツ装飾用ワイヤーを使用して、花や葉や蝶を形成する事により、造形的な花や葉や蝶の動きが自由に形成出来ることで自然界に無い自在な花や葉や蝶の動きを出す事が出来、作者の創作意欲をかき立て芸術的な作品に製造でき創造性豊かなアクセサリーやブーケやアレンジメントの装飾品の製造が可能となった。
【００１４】
本発明は、水引ワイヤー及びドイツ装飾用ワイヤーを使用して、花や葉や蝶を形成する事によりプリザーブドフラワーの花びらや葉の先端が破損している物も、上記ワイヤーで形成したフレームに、接着剤で貼り付け花や葉や蝶を形成する事で、プリザーブドフラワーの花材の再生利用をすることが出来る優れた発明である。
【００１５】
本発明は、花びらの色の異なる複数の花びらを全て分離して複数の色の花びらを重ね合わせることで今までにない色調の美しい花びらの色を形成し、上記花びらを装飾用ワイヤーに接着剤で貼り付け自然乾燥後、複数の色が重なった独創的な花を製造して、アクセサリーやブーケやアレンジメントなど所望の作品を作成することができ、独創的な花の色彩をデザインする事ができ作品の幅が無限大に広がる効果を奏する。
【００１６】
本発明は、プリザーブドフラワー花びらを全て分離して、複数の花びらを接着剤で重ね合わせ大きな花びらを作って、水引ワイヤー及びドイツ装飾用ワイヤーで形成した独創的な花びらの形のフレームにプリザーブドフラワーの花や葉を接着後自然乾燥させ、その後形成したワイヤーに添って、不要な花や葉をはさみやナイフをつかってカットして、独創的な装飾を施した花びらのパーツを複数作り、その後複数の装飾を施した花びらのパーツを組み立て、独創的な装飾を施したユリ及びダリヤなどの大輪の花が製造でき、アクセサリーやブーケやアレンジメントなど所望の作品が出来るプリザーブドフラワーの製品では加工出来ない花を製造することができ作品の幅が柔軟に広がり花の種類が豊富となる効果を奏する。
【００１７】
本発明は、水引ワイヤー及びドイツ装飾用ワイヤーを使用して、花や葉や蝶を形成する事によりバラの花びらをつかって、バラ以外の花や葉を創作することが出来、また葉を使って所望の装飾的な花を造形出来ることで、今までに無い寄り個性的な花や葉を製造でき見る者に興味深く感じさせる事ができデザインの幅が無限大に広がる効果を奏する。
【図面の簡単な説明】
【００１８】
【図１】実施例１のワイヤーの正面図
【図２】実施例１の花びらの正面図
【図３】実施例１の花びらの正面図
【図４】実施例１の花の中心部の側面図
【図５】実施例１の花の平面図
【図６】実施例１の花の斜視面図
【図７】実施例２のワイヤーの正面図
【図８】実施例２の葉の正面図
【図９】実施例２の葉の正面図
【図１０】実施例２の葉の正面図
【図１１】実施例２の葉の正面図
【図１２】実施例３のワイヤーの正面図
【図１３】実施例３の蝶の正面図
【図１４】実施例３の中心部の側面図
【図１５】実施例３の蝶の正面図
【発明を実施するための最良の形態】
【００１９】
本発明を実施するための最良の形態は、プリザーブドフラワーを主材料にして水引ワイヤー及びドイツ装飾用ワイヤーでフレームを形成して、接着剤を使ってプリザーブドフラワー主材料を貼り付け花や葉や蝶の形を造形して、既存及び独創的な装飾を施した花や葉や蝶をデザインして、ワイヤーで形成したフレームで加工することにより壊れたり破れたりすることがなく装飾的で芸術性溢れるアクセサリーやブーケやアレンジメントなどの作品の装飾品の製造方法を提供するもので、いままでになかった装飾的デザインの発明が可能となった。
【実施例１】
【００２０】
図１は本発明の実施例１の水引ワイヤー及びドイツ装飾用ワイヤーで花びらの形に形成した正面図、図２は上記ワイヤーに花びらを接着剤で貼り付けた正面図、図３は上記ワイヤーをつかって制作した花びらの正面図、図４は花の中心部の側面図、図５は同花の平面図、図６は同花の斜視図である。
【００２１】
本実施例のプリザーブドフラワーの製造方法を図に基づいて説明する。図１乃至図６において、符号１０は本発明によって作成したユリの花であり、このユリ符号１０は次の方法によって製造される。
【００２２】
（１）まず、適宜な大きさのプリザーブドフラワーのバラの花（図示せず）のすべての花びらを一枚ずつに分離する。
（２）次いで、この分離した花びらを二枚重ねにして接着剤をつかって貼り付け破れにくくなるよう補強する。
その後、水引ワイヤー及びドイツ装飾用ワイヤーをつかってユリの花びら１１の形に形成したワイヤー５１に、接着剤５３を用いて、花びらを接着して自然乾燥させる。
（３）その後、花びら１１に形成したワイヤーに添って、不要な花びらをはさみやナイフをつかってカットする。その後独創的な装飾を施した花びら１１のパーツを複数作る。
（４）次いで、中心部１２には、パール５４やビーズ５５やアジサイ５６やドライフラワー５７や実物５８などをワイヤー５１で補強して製造する上記中心部１２の周囲に、上記装飾を施した花びら１１のパーツを複数組み立てていき、花１０を大きくしていくとともにユリの花の形状に整えて完成させるのである。
また、茎の部分は、ワイヤー５１によって作成した。これは以下の実施例においても同様である。
【００２３】
上記（２）工程では、花びら１１を複数重ねて大輪の花を制作することや、数種類の色の花びらを重ね合わせて花びらにグラデーションすることも出来る。
また、本実施例では、ワイヤー５１で形成したフレームに花びらを貼り付ける事により花びら１１の柔軟な動きを表現でき作者の創作意欲を高める事が出来る。
【００２４】
上記（４）工程でユリの花びら１０にパール５４やビーズ５５など接着剤をつかって貼り付け装飾することでより芸術的な花を制作出来る。
【００２５】
以上のように、本実施例によればワイヤー５１で形成したフレームに花びらを貼り付ける事により花びら１１が破れにくく壊れにくく、長持ちし装飾的で芸術的な花が作成でき、創作性と作者の個性が充分に発揮された。
【実施例２】
【００２６】
図７は本発明の実施例２の水引ワイヤー及びドイツ装飾用ワイヤーで葉の形に形成した正面図、図８は上記ワイヤーに葉を接着剤で貼り付けた正面図、図９は上記ワイヤーをつかって制作した葉の正面図、図１０は上記ワイヤーをつかって制作した葉の正面図、図１１は上記ワイヤーをつかって制作した葉の正面図である。
【００２７】
本実施例のプリザーブドフラワーの葉の製造方法を図に基づいて説明する。図７において、符号２０は本発明によって作成した製造される。
【００２８】
（１）まず、水引ワイヤー及びドイツ装飾用ワイヤーをつかって葉のフレームを形成します。
（２）ついで、適宜な大きさのプリザーブドフラワーの葉（図示せず）を準備します。上記、葉の全体に接着剤５３を塗りつけ、プリザーブドフラワーのアジサイやドライフラワーなどを貼り付け葉の表面を独創的にデザインします。
（３）この後、上記のデザインした葉に形成した装飾用ワイヤーを接着剤５３で貼り付けワイヤー５１で葉脈を形成したりパール５４及びビーズ５５などで装飾して装飾的な葉を造形する。
その後、自然乾燥して不要な葉をハサミやナイフを使ったカットして製造する。
（４）図１０は独創的な葉の形と葉脈を形成した葉２０である。
（５）図１１はパール５４やビーズ５５を接着して装飾的にデザインしたモンステラの葉である。
【実施例３】
【００２９】
図１２は本発明の実施例１の水引ワイヤー及びドイツ装飾用ワイヤーで蝶の形に形成した正面図、図１３は上記ワイヤーに花びらを接着剤で貼り付けた平面図、図１４は上記ワイヤーをつかって制作した蝶の中心部の側面図、図１５は
同蝶の平面図である。
【００３０】
本実施例３のプリザーブドフラワーの蝶の製造方法を図に基づいて説明する。図１２乃至図１５において、符号３０は本発明によって作成したであり、次の方法によって製造される。
【００３１】
（１）まず、適宜な大きさのプリザーブドフラワーのバラの花（図示せず）のすべての花びらを一枚ずつに分離する。
（２）次いで、この分離した花びらの二枚重ねにして接着剤をつかって貼り付け破れにくくなるよう補強する。
その後、水引ワイヤー及びドイツ装飾用ワイヤー５１をつかって蝶の形に形成して、接着剤５３を用いて、花びらを接着して自然乾燥させる。
（３）その後蝶に形成したワイヤーに添って、不要な花びらをはさみやナイフをつかってカットする。その後独創的な装飾を施した蝶の羽根のパーツを複数作る。
（４）その後、蝶の羽根のパーツを組み立て、独創的な装飾的な動きの有る蝶を製造出来る。
【００３２】
他の実施例として、多数の花や葉や蝶などを製造することが可能である。
上記各実施例の説明と図面を参照にして、詳細な説明は省略する。
【００３３】
また、本発明は上記各実施例によって限定されるものでなく、本発明の趣旨を逸脱しない範囲で各実施例の構成要素の部分を適宜改変して実施することができるのである。
【００３４】
装飾用ワイヤーとは水引ワイヤー及びドイツ装飾用ワイヤー及びすべての装飾用ワイヤーの事を言う。
【符号の説明】
【００３５】
１０ 花
１１ 花びら
１２ 中心部
２０  葉 
３０  蝶
３１ 花びら
３２ 中心部
５１ ワイヤー
５３ 接着剤
５４  パール
５５  ビーズ
５６  アジサイ
５７  ドライフラワー
５８  実物
５９  シダ
【図１】
2014004745.tif 000003
【図２】
2014004745.tif 000004
【図３】
2014004745.tif 000005
【図４】
2014004745.tif 000006
【図５】
2014004745.tif 000007
【図６】
2014004745.tif 000008
【図７】
2014004745.tif 000009
【図８】
2014004745.tif 000010
【図９】
2014004745.tif 000011
【図１０】
2014004745.tif 000012
【図１１】
2014004745.tif 000013
【図１２】
2014004745.tif 000014
【図１３】
2014004745.tif 000015
【図１４】
2014004745.tif 000016
【図１５】
2014004745.tif 000017